(57)【特許請求の範囲】
【請求項１】
左右方向に延在し上下方向に並設された複数のスラットと、前記スラット毎の左右両端にそれぞれ取り付けられ且つ直列連結された複数の連結部材からなる線状体と、を備える巻き取り可能なシャッタカーテンと、
一方向への回転に伴い前記シャッタカーテンを巻き取り、逆方向への回転に伴い前記シャッタカーテンを巻き下ろす巻取体と、
前記巻取体を回転させる駆動機構とを備え、
前記スラットは、左右両端部に位置する前記スラットが前記連結部材に係合するための支持部材を有し、
前記連結部材は、前記支持部材が係合する係合部と、前記係合部の近傍に開口する長穴と、隣接して別の前記連結部材の前記長穴に挿入される長穴挿入部と、を有し、
前記長穴は、前記係合部に近い部分が他よりも大きく開口している拡大部を有し、
前記長穴挿入部は、別の前記連結部材の前記長穴に挿入される方向に突出した付け根部と、前記付け根部より前記長穴に挿入される方向に位置し、断面形状が前記付け根部より大きく、且つ前記拡大部の開口を通過できると共に前記長穴の拡大部以外を通過できない大きさのかさ部とを有し、
前記支持部材は、前記係合部に係合されると、前記長穴の前記拡大部の開口に近接し、前記拡大部の開口を狭めて前記かさ部が通過できないように規制することを特徴とするシャッタ装置。
【請求項２】
前記支持部材は前記スラットと別体であり且つ前記スラットにより外側から覆われており、
前記連結部材の係合部は前記スラットへ向けて延び、前記支持部材に形成された貫通孔内に挿入され且つその先端部が前記スラットにて前記外側が覆われる部分にて前記スラット側に向けて前記支持部材から突出する突出部をもつ部材であり、
前記係合部は前記突出部に対して前記外側から内側に向けて嵌着することで前記支持部材と係合して前記支持部材からの抜けを防止し且つ前記スラットにより前記突出部からの脱離が防がれる固定部材をもつ請求項１に記載のシャッタ装置。
【発明の詳細な説明】
【技術分野】
【０００１】
本発明は、シャッタカーテンを巻取体に巻き取ったり、巻取体からシャッタカーテンを巻き下ろしたりできる方式をもつシャッタ装置に関する。
【背景技術】
【０００２】
従来、左右方向に延在し、上下方向に並設された複数のスラットを巻き取り可能なシャッタカーテンと、シャッタカーテンを巻き取り且つ巻き下ろす巻取体と、巻取体を回転させる駆動機構とを有するシャッタ装置が開示されている（特許文献１，２）。各スラットの左右両端には連結部材（リンク）が取り付けられており、上下に位置する連結部材同士が連結し、線状体を構成することでスラットが上下方向に並設される。連結部材は、それぞれ長穴とその長穴に挿入されるピンとを有し、ピンが長穴に挿入された後にかしめられる。そのため、ピンがかしめられた後は、連結を簡単に取り外すことができない。
【０００３】
ところで、シャッタカーテン装置は、取り付ける場所によってシャッタカーテンの長さ（線状体の長さ）が様々であり、スラットの枚数が異なる場合がある。スラットの枚数を変更するには、連結部材の連結する個数を変更することになる。しかし、前述したように連結部材は、ピンがかしめられると簡単に連結を外すことができない。連結部材の連結は、シャッタカーテン装置を取り付ける現場では行わず、前もって工場等でかしめる。そのため、様々な長さのシャッタカーテンに対応できるようにしようとすると、あらかじめ長さの異なる線状体（シャッタカーテン）を在庫として保持しなければならない。つまり、大量の在庫を持たなければならず、コストがかかる。
【先行技術文献】
【特許文献】
【０００４】
【特許文献１】特開２００５−６１１３８号公報
【特許文献２】特開２００８−８０３８号公報
【発明の概要】
【発明が解決しようとする課題】
【０００５】
本発明は、上記実情を鑑みてなされたもので、スラットの枚数を簡単に変更できるシャッタ装置を提供することを解決すべき課題とする。
【課題を解決するための手段】
【０００６】
上記課題を解決するための請求項１に係る発明の構成上の特徴は、
左右方向に延在し上下方向に並設された複数のスラットと、前記スラット毎の左右両端にそれぞれ取り付けられ且つ直列連結された複数の連結部材からなる線状体と、を備える巻き取り可能なシャッタカーテンと、
一方向への回転に伴い前記シャッタカーテンを巻き取り、逆方向への回転に伴い前記シャッタカーテンを巻き下ろす巻取体と、
前記巻取体を回転させる駆動機構とを備え、
前記スラットは、左右両端部に位置する前記スラットが前記連結部材に係合するための支持部材を有し、
前記連結部材は、前記支持部材が係合する係合部と、前記係合部の近傍に開口する長穴と、隣接して別の前記連結部材の前記長穴に挿入される長穴挿入部と、を有し、
前記長穴は、前記係合部に近い部分が他よりも大きく開口している拡大部を有し、
前記長穴挿入部は、別の前記連結部材の前記長穴に挿入される方向に突出した付け根部と、前記付け根部より前記長穴に挿入される方向に位置し、断面形状が前記付け根部より大きく、且つ前記拡大部の開口を通過できると共に前記長穴の拡大部以外を通過できない大きさのかさ部とを有し、
前記支持部材は、前記係合部に係合されると、前記長穴の前記拡大部の開口に近接し、前記拡大部の開口を狭めて前記かさ部が通過できないように規制することである。
【０００７】
また請求項２に係る発明の構成上の特徴は、請求項１において、前記支持部材は前記スラットと別体であり且つ前記スラットにより外側から覆われており、
前記連結部材の係合部は前記スラットへ向けて延び、前記支持部材に形成された貫通孔内に挿入され且つその先端部が前記スラットにて前記外側が覆われる部分にて前記スラット側に向けて前記支持部材から突出する突出部をもつ部材であり、
前記係合部は前記突出部に対して前記外側から内側に向けて嵌着することで前記支持部材と係合して前記支持部材からの抜けを防止し且つ前記スラットにより前記突出部からの脱離が防がれる固定部材をもつことである。
【発明の効果】
【０００８】
請求項１に係る発明においては、各スラットの左右両端部に取り付けられる連結部材が直列に連結して線状体になることで、スラットが上下方向に並設され、シャッタカーテンとなる。連結部材は、長穴と長穴挿入部とを有する。上下の何れかに隣設する別の連結部材の長穴に長穴挿入部を挿入することで、連結部材は連結していく。長穴は、穴が大きく開口している拡大部を有しており、長穴挿入部はこの拡大部以外からは挿脱できないかさ部を有している。かさ部の大きさは拡大部とほぼ同じ大きさであり、拡大部から長穴に挿脱される。そして、拡大部は、スラットの左右両端に位置する支持部材と連結部材の係合部とを係合すると開口が狭くなる。よって、連結部材は、長穴の拡大部に、別の連結部材の長穴挿入部のかさ部が挿入された後に、スラットの支持部材が挿入されるとかさ部は長穴から脱離できなくなる。連結された連結部材（線状体）がバラバラになることがなくなる。バラバラにすることが必要であれば、分離したい部分に相当するスラットの支持部材と連結部材の係合部との係合を外せば、かさ部は長穴の拡大部にまで移動させることが可能に案って拡大部から離脱させることが可能になる。よって、連結した複数の連結部材は、かしめなどの固定方法とは異なり一度連結した後であっても連結の長さを調節することができるため、スラットの枚数を簡単に変更することができる。従って、在庫として長さの違う線状体をいくつも持たなくても良くなるので、在庫を減らすことが可能になってコストが抑制できる。また、現場でシャッタカーテンの長さを簡単に変更することもできる。
【０００９】
請求項２に係る発明においては、スラットと別体の支持部材が連結部材の係合部に係合し、固定部材によって固定さえる。そして、その固定部分にスラットを配置し、スラットが連結部材に取り付けられるため、支持部材を固定した固定部材が外れにくくなる。よって、連結部材の連結が簡単に外れない。また、スラットをシャッタカーテンの状態に組み立てる前、つまり、構造物の開口に取り付ける前では、スラットをはずせば連結部材の連結も解除できるため、スラットの枚数を簡単に変更することができる。
【図面の簡単な説明】
【００１０】
【図１】本実施形態１に係るシャッタ装置の正面図である。
【図２】本実施形態１に係るシャッタ装置のシャッタカーテンの一部を裏面から見た説明図である。
【図３】本実施形態１に係るシャッタ装置の主要部の斜視図である。
【図４】図３をリンク側から見た説明図である。
【図５】本実施形態２に係るシャッタ装置の主要部の斜視図である。
【図６】本実施形態２に係るシャッタ装置の主要部の一部の示す説明図である。
【発明を実施するための形態】
【００１１】
以下、本発明の実施形態について図面を参照して具体的に説明する。複雑化を避けるため、図面ではハッチングが一部省略されている場合がある。図１は、建築物等の構造物の開口を開閉するように、構造物に据え付けられるシャッタ装置の正面図を模式的に示す。シャッタ装置は、上下方向（図面Ｙ方向）に沿って並設され且つ左右方向（図面Ｘ方向）に延在する複数のスラット１と、複数のスラット１毎の左右両端にそれぞれ取り付けられ且つ直列連結された複数のリンク（連結部材）４からなる線状体２６とから形成されるシャッタカーテン２１と、シャッタカーテン２１を巻き取る巻取体２２と、巻取体２２を回転させる駆動機構の主要素であるモータ２３と、巻取体２２を回転可能に保持し、スラット１を収納する収納体２４と、シャッタカーテン２１の両側の側方に設けられた２個のガイドレール２５とを備えている。シャッタ装置には、モータ２３を制御する制御装置（図示略）が設けられている。制御装置がもつスイッチ（図略）などによりモータ２３が駆動し、巻取体２が一方向へ回転すると、シャッタカーテン２１は巻取体２２に巻き取られる。スイッチによりモータ２３が逆転し、巻取体２２が逆方向に回転すると、巻取体２２に巻き取られていたシャッタカーテンが巻き下ろされる。ガイドレール２５は、シャッタカーテン２１の端部を保持し、その昇降を案内する案内溝をもつ。スラット１は、２個のガイドレール２５間において、左右方向に沿って延設されている。図１はあくまで模式図を示しており、スラット１の数は図１に限定されるものではない。シャッタカーテン２１の左右両側には、チェーン状の線状体２６がそれぞれ設けられている。線状体２６は、シャッタ装置の上下方向に隣接する各スラット１の端部を連結すると共に、隣接するリンク４間での相対移動により上下方向に沿って伸縮可能とされている。
【００１２】
（実施形態１）
図２は、シャッタカーテン２１の裏側（室内側）を示す。シャッタカーテン２１は、スラット１と、各スラット１の左右両端部に取り付けられる樹脂製キャップ（支持部材）３と、各樹脂製キャップ３を介してスラット１の左右両端部に取り付けられるリンク４とを備える。リンク４がチェーン状に連結したものが線状体２６である。本実施形態１のシャッタカーテン装置は、シャッタカーテン２１が巻き下ろされている状態で、スラット１毎に対応して接続されるリンク４で枢支されており、図示されていない別の駆動機構によって、スラット１毎に回動できる。スラット１は、上下方向にほぼ直立している状態が閉状態で、直立状態から水平方向に向けて角度が変化すると開状態になる。樹脂キャップ３はスラット１と一体的に移動・回動する。
【００１３】
スラット１の１つ１つは、左右方向に細長く、且つ、上下方向において中央に向かうほど室外側に緩やかに出ている弧形状の断面（上下−前後（図面の手前側及び奥側の間の方向。以下同じ）方向での断面）をもつ。樹脂製キャップ３は、１枚のスラット１の上下方向の長さとほぼ同じ長さで、上下方向で中央に向かうほど室外側が緩やかに出る弧形状で、同じような形状をしており、スラット１の端部に固設される本体部３１と、本体部３１から左右方向でリンク４側に突出しているボス部３２と、ボス部３２から更にリンク４側に突出しており、後述するリンク４の係合穴（係合部）４２に挿入される支持係合部３３と、本体部３１からボス部３２とは異なる部位から左右方向でリンク４側に突出する係止ピン３４とを有する。
【００１４】
リンク４は、図３に示されるように、１つの樹脂製キャップ３の上下方向の長さとほぼ同じ長さで、上下方向で中央に向かうほど室外側に緩やかにでている弧形状をしており、長穴４１と係合穴（係合部）４２と長穴挿入部４３とを有する。長穴４１は、リンク４の上方で上下方向に細長く左右方向に開口した穴であり、下側が他の開口より大きく開口している拡大部４１１を有する。係合穴４２は、長穴４１の拡大部４１１に近設しており、長穴４１の下方に開口している。係合穴４２には、樹脂製キャップ３の支持係合部３３の先端部が挿入される。長穴挿入部４３は、リンク４の下方に位置し、付け根部４３１とかさ部４３２とを有する。付け根部４３１は、長穴４１内に挿入されたときに長穴４１内を自在に移動できる程度の断面形状（上下−前後方向での断面）をもち、本体部３１から固設されたスラット１とは反対側（以下、「左右方向外側」と称する）に突出している。付け根部４３１が突出する長さ（高さ）は長穴４１の左右方向の長さ（板厚）よりも僅かに長い程度にする。そして、かさ部４３２は、付け根部４３１から左右方向外側に延設され、付け根部４３１の断面形状より大きい断面形状（上下−前後方向での断面）をもつ。かさ部４３２の断面形状は、長穴４１の拡大部４１１を通過できる程度の大きさであり、本実施形態では拡大部４１１の形状とほぼ同じである。かさ部４３２は拡大部４１１以外からは長穴４１に挿脱できない。長穴挿入部４３は、かさ部４３２が拡大部４１１から挿入された後は、付け根部４３１の断面形状が長穴４１内を移動可能な形状であるため、長穴４１内を上下方向に自在に移動可能である。
【００１５】
樹脂製キャップ３のボス部３２は支持係合部３３が係合穴４２に係合することによりリンク４に接した状態で配設される。そのときにボス部３２はリンク４上で近設された拡大部４１１の一部を覆うことで拡大部４１１の開口を狭めることになる。つまり、ボス部３２の形状はリンク４に配設されたときに拡大部４１１の開口を狭めることになるような形態を持つ。例えば、ボス部３２がリンク４に接する部分の当接面の形状が円形である場合に、支持係合部３３がリンク４の係合穴４２に係合された（挿入係合された）状態で、近設する拡大部４１１の開口に至るまでの径をもつ円筒からボス部３２が成り立っている。図４は、図３を左右方向外側から見た図である。ボス部３２は、図４に示されるように、支持係合部３３がリンク４の係合穴４２に挿入された状態では、係合穴４２と近設している長穴４１の拡大部４１１を下方から狭める大きさをもつ略円筒形状をもつ部材である。スラット１は樹脂キャップ３のボス部３２を回動軸としてリンク４に枢支されている。従って、シャッタカーテン２１を構成するスラット１は個々に開閉可能である。すなわち、樹脂キャップ３の係止ピン３４をつかみ操作することでスラット１が開閉できる。一度に複数の係止ピン３４をつかめるような機構を採用すれば複数のスラット１をまとめて開閉できる。
【００１６】
リンク４を連結する方法について説明する。リンク４の連結は、図３に示すように、リンク４の下方に隣設する別のリンク４の長穴４１の拡大部４１１に、左右方向外側に向かって長穴挿入部４３のかさ部４３２を挿入する（長穴挿入部４３が左右方向外側に向けて形成されている場合。左右方向内側に向けて長穴挿入部４３が形成されている場合には反対方向に向けて挿入する。）。そして、長穴挿入部４３を長穴４１の上方向に移動させて長穴挿入部４３が長穴４１から抜けない状態にした上で、樹脂製キャップ３の支持係合部３３を左右方向外側に向かって、係合穴４２に挿入する。支持係合部３３の先端には溝３３１が全周にわたって形成されており、係合穴４２に挿入された支持係合部３３に、Ｃリング（固定部材）５を嵌め込むことで支持係合部３３が係合穴４２から抜けることを防止する。支持係合部３３が係合穴４２に挿入されると、長穴４１の拡大部４１１は開口が狭まる。結果、長穴挿入部４３は、かさ部４３２が拡大部４１１に移動できず、また拡大部４１１も開口がせばまっているため、長穴４１から離脱できない。また、リンク４の下端部４４がボス部３２に当接するため、リンク４自体がそれ以上下方に移動できない。
【００１７】
従って、本実施形態１のシャッタ装置によれば、上下に位置するリンク４の長穴４１に別のリンク４のかさ部４３２が挿入された後、樹脂製キャップ３の支持係合部３３がリンク４の係合穴４２に挿入されると、かさ部４３２が長穴４１から離脱できなくなる。そして、かさ部４３２は長穴４１に挿入された後にかしめなどのような不可逆的な方法で係合しているわけではないため、樹脂製キャップ３の支持係合部３３をリンク４の係合穴４２から外せば、かさ部４３２は長穴４１の拡大部４１１から容易に離脱することができる。
【００１８】
よって、本実施形態１のシャッタ装置によれば、リンク４は簡単に連結することができ、また連結を解除することもできるため、線状体２６の長さを簡単に調節することができる。つまり、シャッタカーテン２１の長さ（スラット１の枚数）を簡単に変更できるため、必要に応じた長さの線条体２６（ひいては必要な長さのシャッタカーテン２１）を簡単に用意することができる。従って、長さの異なる線状体２６などを予め在庫する必要がなくなり、コストが抑制できる。また、現場にて、シャッタカーテン２１の長さを簡単に変更することも可能である。
【００１９】
（実施形態２）
本実施形態２のシャッタ装置は、実施形態１のシャッタ装置と基本的な構成及び作用効果は同じである。以下では、主に異なる部分について説明を行う。
【００２０】
本実施形態２のシャッタ装置で用いられるシャッタカーテン２１の樹脂製キャップ６は本体部６１とボス部６２とをもち、ボス部６２は、図５に示されるように、支持係合ピン（支持係合部）６３が貫通できる貫通孔６２２が形成されている。支持係合ピン６３はリンク４の係合穴４２に対して左右外側から内側に向けて挿入され、そのままボス部６２に形成された貫通孔６２２に挿通される。支持係合ピン６３は棒状の本体部６３３と本体部６３３の一端部に形成された頭部６３２と他端部の外周にわたり形成された溝６３１とをもつ。支持係合ピン６３の長さは貫通孔６２２を貫通し、溝部６３１がちょうど突出する程度の長さである。溝６３１に対してＣリング５を嵌着することでＣリング５が貫通孔６２２の左右内側の端部に当接し、頭部６３２がリンク４の係合穴４２の周囲に当接することと相俟って支持係合ピン６３の左右方向への移動を制限し、結果、リンク４にボス部６２を当接し左右方向の相対位置を固定させることができる。図６に示すように、樹脂キャップ６はシャッタ装置を配設する際に外側になる側にスラット１が覆うように固定される。貫通孔６２２から突出した支持係合ピン６３の溝部６３１の外側にはスラット１が固定され、内側には本体部６２から内側に向けて延設されるガード部６１２が形成される。Ｃリング５はスラット１が固定される前に樹脂キャップ６の外側から溝部６３１に固定された後にスラット１が樹脂キャップ６に固定されることによりＣリング５が外れないようになる。つまり、ガード部６１２とスラット１とにより区画される空間内ではＣリング５が溝部６３１から外れるほど移動することができず安定的に溝部６３１上に保持することができる。
【００２１】
通常、嵌め込まれたＣリング５は、簡単に外れるものではないが、何らかの衝撃によって外れる可能性はある。例えば、シャッタ装置の破壊を目論む者が故意に与える衝撃などによりシャッタ装置における樹脂キャップ６とリンク４との間の結合が外れるような事態は避けたいが、Ｃリング５が外れがたい本実施形態のシャッタ装置では長時間にわたる耐衝撃性を実現可能である。従って、本実施形態２のシャッタ装置によれば、Ｃリング５を支持係合ピン６３に嵌め込んで線状体２６の長さを確定した上で、スラット１を取り付けることで、かしめなどの不可逆的な操作に頼ること無く組立分解が可能になると共に、連結部の外れにくいシャッタカーテン２１を作成することができる。また、シャッタカーテン２１の長さを変更するのであれば、連結に関連する部分のスラット１を取り外してＣリング５を抜けば、リンク４の連結の長さは簡単に変更することができるため、所望のシャッタカーテン２１の長さに簡単に調節できる。
【００２２】
（その他の実施形態）
以上、本発明の好適な実施形態について説明したが、本発明は上記実施形態に限定されるものではない。例えば、図６に示されるスラット１は、ソリッド形状であるが、ホロー形状や内部が空洞ではないスラットを用いることもできる。また、樹脂製キャップ３、６は、スラット１と一体的に回動する部材であり、金属製のスラット１同士の当たり音の抑制や、ガイドレール２５にスラット１が当接するのを避けるための機能を発現する部材にすることもできる。また、樹脂キャップはスラット１の両端部に取り付けられないシャッタカーテンでもよい。その他に、固定部材はＣリング５に限定されず、Ｅリングを採用することもできる。
【符号の説明】
【００２３】
１：スラット、
２１：シャッタカーテン、  ２２：巻取体、  ２３：モータ、  ２４：収納体、
２５：ガイドレール、  ２６：線状体、
３，６：樹脂製キャップ（支持部材）、  ３１，６１：本体、  ３２，６２：ボス部、
３３：支持係合部、  ３４：係止ピン
４：リンク（連結部材）、  ４１：長穴、  ４１１：拡大部、  
４２：係合穴（係合部）、  ４３：長穴挿入部、  ４３１：付け根部、
４３２：かさ部、  ４４：下端部、
５：Ｃリング（固定部材）、
６３：支持係合ピン（支持係合部）。
【図１】
0005962952.tif 000002
【図２】
0005962952.tif 000003
【図３】
0005962952.tif 000004
【図４】
0005962952.tif 000005
【図５】
0005962952.tif 000006
【図６】
0005962952.tif 000007